【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
再現色に対応する複数色の色材の各量を入力してそれらの最小値を検出する手段と、
前記検出手段により検出された前記複数色の色材の各量の最小値に対し、前記検出手段により検出された前記複数色の色材の各量の最小値の比率を係数とする所定の演算を行うことにより発生させるＢｋ（ブラック）色材量を算出する手段と、
前記複数色の色材により再現される色の飽和度を求め、前記Ｂｋ色材量を算出する手段で算出されたＢｋ色材量に対し、前記飽和度を係数とする所定の演算を行うことにより下色除去量を算出する手段と、
前記複数色の色材の各量から前記下色除去量を算出する手段により算出された下色除去量を減ずる手段とを含むことを特徴とするカラー画像処理装置。
【請求項２】
前記飽和度は、前記複数色の色材の各量の最大値・最小値から算出することを特徴とする請求項１に記載のカラー画像処理装置。
【請求項３】
再現色に対応する複数色の色材の各量を入力してそれらの最小値を検出する手段と、
前記検出手段により検出された前記複数色の色材の各量の最小値に対し、前記検出手段により検出された前記複数色の色材の各量の最小値の比率を係数とする所定の演算を行うことにより発生させるＢｋ色材量を算出する手段と、
前記複数色の色材により再現される色の明度を求め、前記Ｂｋ色材量を算出する手段で算出されたＢｋ色材量に対し、前記明度を係数とする所定の演算を行うことにより第１の下色除去量を算出する手段と、
前記複数色の色材により再現される色の飽和度を求め、前記Ｂｋ色材量を算出する手段により算出されたＢｋ色材量から前記第１の下色除去量を算出する手段により算出されたＢｋ量を減じた量に対し、前記飽和度を係数とする所定の演算を行うことにより第２の下色除去量を算出する手段と、
前記第１の下色除去量を算出する手段により算出された第１の下色除去量に前記第２の下色除去量を算出する手段により算出された第２の下色除去量を加算して最終下色除去量を算出する手段と、
前記複数色の色材の各量から前記最終下色除去量を算出する手段により算出された最終下色除去量を減ずる手段とを含むことを特徴とするカラー画像処理装置。
【請求項４】
前記明度および飽和度は、前記複数色の色材の各量の最大値・最小値を用いて算出することを特徴とする請求項３に記載のカラー画像処理装置。
【請求項５】
再現色に対応する複数色の色材の各量を入力してそれらの最大値・最小値を検出する手段と、
前記検出手段により検出された前記複数色の色材の各量の最小値から第１のＢｋ色材量を発生する手段と、
前記検出手段により検出された前記複数色の色材の各量の最小値から第２のＢｋ色材量を発生する手段と、
前記検出手段により検出された前記複数色の色材の各量の最小値と最大値とから有彩度を算出する手段と、
前記第１のＢｋ色材量を発生する手段が発生した第１のＢｋ色材量と前記第２のＢｋ色材量を発生する手段が発生した第２のＢｋ色材量とに対し、前記有彩度算出手段が算出した有彩度を比例係数とする所定の演算を行うことにより、最終的に出力するＢｋ色材量を算出する手段とを含むことを特徴とするカラー画像処理装置。
【請求項６】
再現色に対応する複数色の色材の各量を入力してそれらの最大値・中間値・最小値を検出する手段と、
前記検出手段により検出された前記複数色の色材の各量の最大値・最小値から有彩度を算出する手段と、
前記検出手段により検出された前記複数色の色材の各量の最大値・中間値・最小値から、前記複数色の色材により再現される色に対応しかつ最も有彩度が高い色の前記複数色の色材の各量を算出する手段と、
この算出手段から出力された前記複数色の色材の各量を入力し、前記有彩度算出手段が算出した有彩度に応じた複数色の色材の各量を出力する手段と、
入力された複数色の色材の各量のうちどの成分が最大値・中間値・最小値であるかを示すフラグを出力する手段と、
入力された複数色の色材の各量からＢｋ色材の発生量を決定する手段と、
前記有彩度に応じた複数色の色材の各量を出力する手段から出力された複数色の色材の各量から、前記フラグ出力手段から出力されたフラグを参照して、最終的に出力する複数色の色材の各量を決定する手段とを含むことを特徴とするカラー画像処理装置。
【請求項７】
前記有彩度は以下に示す式により算出することを特徴とする請求項５または６に記載のカラー画像処理装置。
（（複数色の色材の各量の最大値）−（複数色の色材の各量の最小値））
／（１００−（複数色の色材の各量の最小値））
【請求項８】
複数色の色材の各量からＢｋ色材の発生量を決定する手段と、
前記複数色の色材とＢｋ色材の合計量に対する上限値を格納する手段と、
前記複数色の色材とＢｋ色材の合計量が前記手段に格納された上限値を超えた場合に、その超過量を分配して複数色の色材の各量から減じる手段とを含むことを特徴とするカラー画像処理装置。
【請求項９】
複数色の色材の各量からＢｋ色材の発生量を決定する手段と、
再現色の有彩度に応じて出力すべき複数色の色材の各量を再計算する手段と、
前記複数色の色材とＢｋ色材の合計量に対する上限値を前記Ｂｋ色材の発生量を決定する手段が決定したＢｋ色材量に応じて算出する手段と、
前記複数色の色材とＢｋ色材の合計量が前記手段により算出された上限値を超えた場合に、その超過量を分配して前記出力すべき複数色の色材の各量を再計算する手段が出力した複数色の色材の各量から減じる手段とを含むことを特徴とするカラー画像処理装置。
【手続補正２】
【補正対象書類名】明細書
【補正対象項目名】０００７
【補正方法】変更
【補正の内容】
【０００７】
【課題を解決するための手段】
上記目的を達成するため、本発明のカラー画像処理装置は、再現色に対応する複数色の色材の各量を入力してそれらの最小値を検出する手段と、前記検出手段により検出された前記複数色の色材の各量の最小値に対し、前記検出手段により検出された前記複数色の色材の各量の最小値の比率を係数とする所定の演算を行うことにより発生させるＢｋ（ブラック）色材量を算出する手段と、前記複数色の色材により再現される色の飽和度を求め、前記Ｂｋ色材量を算出する手段で算出されたＢｋ色材量に対し、前記飽和度を係数とする所定の演算を行うことにより下色除去量を算出する手段と、前記複数色の色材の各量から前記下色除去量を算出する手段により算出された下色除去量を減ずる手段とを含むことを特徴とする。
【手続補正３】
【補正対象書類名】明細書
【補正対象項目名】０００８
【補正方法】変更
【補正の内容】
【０００８】
上記目的を達成するため、本発明のカラー画像処理装置は、再現色に対応する複数色の色材の各量を入力してそれらの最小値を検出する手段と、前記検出手段により検出された前記複数色の色材の各量の最小値に対し、前記検出手段により検出された前記複数色の色材の各量の最小値の比率を係数とする所定の演算を行うことにより発生させるＢｋ色材量を算出する手段と、前記複数色の色材により再現される色の明度を求め、前記Ｂｋ色材量を算出する手段で算出されたＢｋ色材量に対し、前記明度を係数とする所定の演算を行うことにより第１の下色除去量を算出する手段と、前記複数色の色材により再現される色の飽和度を求め、前記Ｂｋ色材量を算出する手段により算出されたＢｋ色材量から前記第１の下色除去量を算出する手段により算出されたＢｋ量を減じた量に対し、前記飽和度を係数とする所定の演算を行うことにより第２の下色除去量を算出する手段と、前記第１の下色除去量を算出する手段により算出された第１の下色除去量に前記第２の下色除去量を算出する手段により算出された第２の下色除去量を加算して最終下色除去量を算出する手段と、前記複数色の色材の各量から前記最終下色除去量を算出する手段により算出された最終下色除去量を減ずる手段とを含むことを特徴とする。
【手続補正４】
【補正対象書類名】明細書
【補正対象項目名】０００９
【補正方法】変更
【補正の内容】
【０００９】
上記目的を達成するため、本発明のカラー画像処理装置は、再現色に対応する複数色の色材の各量を入力してそれらの最大値・最小値を検出する手段と、前記検出手段により検出された前記複数色の色材の各量の最小値から第１のＢｋ色材量を発生する手段と、前記検出手段により検出された前記複数色の色材の各量の最小値から第２のＢｋ色材量を発生する手段と、前記検出手段により検出された前記複数色の色材の各量の最小値と最大値とから有彩度を算出する手段と、前記第１のＢｋ色材量を発生する手段が発生した第１のＢｋ色材量と前記第２のＢｋ色材量を発生する手段が発生した第２のＢｋ色材量とに対し、前記有彩度算出手段が算出した有彩度を比例係数とする所定の演算を行うことにより、最終的に出力するＢｋ色材量を算出する手段とを含むことを特徴とする。
【手続補正５】
【補正対象書類名】明細書
【補正対象項目名】００１０
【補正方法】変更
【補正の内容】
【００１０】
上記目的を達成するため、本発明のカラー画像処理装置は、再現色に対応する複数色の色材の各量を入力してそれらの最大値・中間値・最小値を検出する手段と、前記検出手段により検出された前記複数色の色材の各量の最大値・最小値から有彩度を算出する手段と、前記検出手段により検出された前記複数色の色材の各量の最大値・中間値・最小値から、前記複数色の色材により再現される色に対応しかつ最も有彩度が高い色の前記複数色の色材の各量を算出する手段と、この算出手段から出力された前記複数色の色材の各量を入力し、前記有彩度算出手段が算出した有彩度に応じた複数色の色材の各量を出力する手段と、入力された複数色の色材の各量のうちどの成分が最大値・中間値・最小値であるかを示すフラグを出力する手段と、入力された複数色の色材の各量からＢｋ色材の発生量を決定する手段と、前記有彩度に応じた複数色の色材の各量を出力する手段から出力された複数色の色材の各量から、前記フラグ出力手段から出力されたフラグを参照して、最終的に出力する複数色の色材の各量を決定する手段とを含むことを特徴とする。
【手続補正６】
【補正対象書類名】明細書
【補正対象項目名】００１１
【補正方法】変更
【補正の内容】
【００１１】
本発明のカラー画像処理装置において、前記有彩度は以下に示す式により算出することを特徴とする。
（（複数色の色材の各量の最大値）−（複数色の色材の各量の最小値））
／（１００−（複数色の色材の各量の最小値））
【手続補正７】
【補正対象書類名】明細書
【補正対象項目名】００１２
【補正方法】変更
【補正の内容】
【００１２】
上記目的を達成するため、本発明のカラー画像処理装置は、複数色の色材の各量からＢｋ色材の発生量を決定する手段と、前記複数色の色材とＢｋ色材の合計量に対する上限値を格納する手段と、前記複数色の色材とＢｋ色材の合計量が前記手段に格納された上限値を超えた場合に、その超過量を分配して複数色の色材の各量から減じる手段とを含むことを特徴とする。
【手続補正８】
【補正対象書類名】明細書
【補正対象項目名】００１３
【補正方法】変更
【補正の内容】
【００１３】
上記目的を達成するため、本発明のカラー画像処理装置は、複数色の色材の各量からＢｋ色材の発生量を決定する手段と、再現色の有彩度に応じて出力すべき複数色の色材の各量を再計算する手段と、前記複数色の色材とＢｋ色材の合計量に対する上限値を前記Ｂｋ色材の発生量を決定する手段が決定したＢｋ色材量に応じて算出する手段と、前記複数色の色材とＢｋ色材の合計量が前記手段により算出された上限値を超えた場合に、その超過量を分配して前記出力すべき複数色の色材の各量を再計算する手段が出力した複数色の色材の各量から減じる手段とを含むことを特徴とする。